(57)【要約】      （修正有）【課題】複雑な構成を採用せずにコストを抑えながら、手動によって握り棒、受像部等の可動部品を昇降可能としたＸ線撮影装置用の昇降装置を提供する。【解決手段】軸部材に巻き取り及び繰り出し自在に取り付けられたバネ部材２と、バネ部材の先端に連結されたスライダー５と、スライダーに連結された支持部材と、スライダーの位置を所望位置で固定する係止機構を具備し、係止機構は、スライダーに回動自在に取り付けられた、係止爪部１９を有する係止用ラッチ１８と、係止爪部が係止する係止溝１５が多数個形成されたラック１４を具備し、係止用ラッチは、係止爪部が係止溝に係止する方向に付勢され、反付勢方向に回動することで係止溝に対する係止爪部の係止が解除され、係止爪部が係止溝に係止している状態では、スライダーは、バネ部材が巻き取られる方向への移動は許容され、バネ部材が繰り出される方向への移動は阻止される。【選択図】図３
0003195172.tif 000002
【実用新案登録請求の範囲】
【請求項１】
Ｘ線撮影装置において、握り棒、受像部等の可動部材（２７）を可動自在に支持するＸ線撮影装置の昇降装置であって、
軸部材に巻き取り及び繰り出し自在に取り付けられるとともに、巻き取り方向に付勢されたバネ部材（２）と、
該バネ部材（２）の先端に連結されることで、前記バネ部材（２）の巻き取り及び繰り出し方向に移動自在とされたスライダー（５）と、
該スライダー（５）に連結された、前記可動部材（２７）が支持される支持部材（８、１２）と、
前記スライダー（５）の位置を、前記バネ部材（２）の巻き取り方向又は繰り出し方向へ移動自在にして、所望位置で固定するための係止機構と、を具備したことを特徴とするＸ線撮影装置の昇降装置。
【請求項２】
前記係止機構は、
前記スライダー（５）に回動自在に取り付けられた、係止爪部（１９）を有する係止用ラッチ（１８）と、
長尺状であるとともに、前記係止用ラッチ（１８）の前記係止爪部（１９）が係止する係止溝（１５）が長手方向に多数個形成されたラック（１４）と、を具備し、
前記係止用ラッチ（１８）は、係止爪部（１９）が係止溝（１５）に係止する方向に付勢されるとともに、反付勢方向に回動することで係止溝（１５）に対する係止爪部（１９）の係止が解除され、
係止爪部（１９）が係止溝（１５）に係止している状態においては、前記スライダー（５）は、前記バネ部材（２）が巻き取られる方向への移動は許容され、前記バネ部材（２）が繰り出される方向への移動は阻止される、ことを特徴とする請求項１に記載のＸ線撮影装置の昇降装置。
【請求項３】
前記係止溝（１５）が、前記ラック（１４）の側面からラック（１４）の長手方向に直交する方向へ形成されたラック側水平部（１６）と、該ラック側水平部（１６）の最奥部から斜め方向に向けて形成されたラック側テーパー部（１７）より形成されているとともに、前記係止爪部（１９）は、前記ラック側水平部（１６）に当接するラッチ側水平部（２１）と、前記ラック側テーパー部（１７）当接するラッチ側テーパー部（２２）を具備し、それにより、係止爪部（１９）が係止溝（１５）に係止している状態においては、前記スライダー（５）は、前記バネ部材（２）が巻き取られる方向への移動は許容され、前記バネ部材（２）が繰り出される方向への移動は阻止される、こととした請求項２に記載のＸ線撮影装置の昇降装置。
【請求項４】
前記係止用ラッチ（１８）は、上方部分を前記スライダー（５）に軸支することで下方部分を回動自在にするとともに、前記スライダー（５）に取り付けたスライドレール（２５）にスライド自在に係合したスライドプレート（２４）に下方部分を連結しており、
前記スライドプレート（２４）を前記ラック（１４）側に付勢することで、
前記係止用ラッチ（１８）を、回動自在にするとともに、係止爪部（１９）が係止溝（１５）に係止する方向に付勢した、ことを特徴とする請求項２又は請求項３に記載のＸ線撮影装置の昇降装置。
【請求項５】
前記スライドプレート（２４）に嵌合凹部（２４０１）を形成するとともに、該嵌合凹部（２４０１）に嵌合可能な嵌合用脚部（７０２）を有して、嵌合用脚部（７０２）を嵌合凹部（２４０１）に嵌合することで、係止爪部（１９）と係止溝（１５）の係止を解除する方向へスライドプレート（２４）が移動することを阻止する落下防止プレート（７）を、前記バネ部材（２）の先端側に連結し、落下防止プレート（７）を支持金具（８）に下方向に落下自在に連結し、前記支持金具（８）を前記スライダー（５）に連結することで、前記バネ部材（２）の先端にスライダー（５）を連結したことを特徴とする、請求項４に記載のＸ線撮影装置の昇降装置。
【請求項６】
前記可動部材が受像部であることを特徴とする請求項１乃至請求項５のいずれかに記載のＸ線撮影装置の昇降装置。
【請求項７】
前記可動部材が握り棒であることを特徴とする請求項１乃至請求項５のいずれかに記載のＸ線撮影装置の昇降装置。
【考案の詳細な説明】
【技術分野】
【０００１】
本考案は、Ｘ線を用いて人体の内部を撮影するＸ線撮影装置において、握り棒、受像部等の可動部材を昇降させるための昇降装置に係り、より詳しくは、複雑な構成を採用することなく、握り棒、受像部等の可動部材を昇降可能としたＸ線撮影装置用の昇降装置に関する。
【背景技術】
【０００２】
従来から、Ｘ線を用いて人体の内部を撮影するＸ線撮影装置が医療分野で広く用いられており、このＸ線撮影装置には、被写体である被験者を立たせた状態で撮影する立位型がある。
【０００３】
ここで、立位型のＸ線撮影装置について図面を参照して説明すると、図８は、従来の立位型のＸ線撮影装置を示した図であり、図において５１がＸ線撮影装置である。そして、この立位型のＸ線撮影装置は、受像部５２を有しており、この受像部５２は、支柱５３に支持されながら支柱５３に沿って上下動自在とされており、受像部５２内には、撮影用フィルムが収容されたカセッテや撮像素子等が収容された受光体が挿抜自在に収容されている。
【０００４】
また、受像部５２を上下動する方法としては、モーターを用いて電動で受像部５２を上下動する方法と、カウンターバランス機構等によって手動で受像部５２を上下動する方法が存在しており、図８では手動により受像部５２を上下動する立型のＸ線撮影装置を示している。
【０００５】
そして、手動により受像部５２を上下動するＸ線撮影装置５１では、支柱５３内において、プーリーに巻き回されたワイヤーの一端に前記受像部５２を連結するとともに、ワイヤーの他端には、受像部５２の移動に連動して受像部５２の移動方向と逆方向に移動するカウンターウェイトを連結し、受像部５２をカウンターウェイトとバランスして支持し、これにより、受像部５２を手動で上下動自在としている。
【０００６】
また、Ｘ線撮影装置では一般的に、体を側面から撮影するときに、被験者の手が写ってしまうことを防止するとともに、被験者の体を支えて安全を確保するために、握り棒５４が備えられており、手動により受像部５２を上下動するＸ線撮影装置５１では一般的に、図に示すように、前記受像部５２に上方に向けて握り棒５４が取り付けられており、これにより、握り棒５４は、受像部５２の上下動に伴って上下動することになっている。
【先行技術文献】
【特許文献】
【０００７】
【特許文献１】実用新案登録第３１８４９３９号公報
【考案の概要】
【考案が解決しようとする課題】
【０００８】
ところで、前述したように、手動により受像部を上下動するＸ線撮影装置では一般的に、受像部に握り棒が取り付けられており、また、手動で受像部を上下動する方法としては、前述したようにカウンターバランス機構を採用することが一般的であるが、Ｘ線撮影装置においては、握り棒を外した状態で被験者のＸ線撮影を行うことも少なくなく、このように握り棒を外した場合には、カウンターバランスが崩れてしまうため、再度カウンターウェイトを調整する必要があり、煩わしさに耐えない。
【０００９】
この点、受像部をモーターにより電動で上下動するＸ線撮影装置では、受像部の上下動とは別のモーターにより握り棒も電動で上下動するために、握り棒を外した場合でも特段の問題も生じないという利点はあるが、この場合には、握り棒専用のモーターを必要とするために、構成が複雑になるとともにコストも上がってしまうという問題点が考えられる。
【００１０】
そこで、本考案は、複雑な構成を採用せずにコストを抑えながら、手動によって握り棒、受像部等の可動部品を昇降可能としたＸ線撮影装置用の昇降装置を提供することを課題としている。
【課題を解決するための手段】
【００１１】
本考案のＸ線撮影装置の昇降装置は、
Ｘ線撮影装置において、握り棒、受像部等の可動部材を上下動自在に支持するＸ線撮影装置の昇降装置であって、
軸部材に巻き取り及び繰り出し自在に取り付けられるとともに、巻き取り方向に付勢されたバネ部材と、
該バネ部材の先端に連結されることで、前記バネ部材の巻き取り及び繰り出し方向に移動自在とされたスライダーと、
該スライダーに連結された、前記可動部材が支持される支持部材と、
前記スライダーの位置を、前記バネ部材の巻き取り方向又は繰り出し方向へ移動自在にして、所望位置で固定するための係止機構と、を具備したことを特徴としている。
【考案の効果】
【００１２】
本考案のＸ線撮影装置の昇降装置は、バネ部材によって、握り棒や受像部等の可動部材を上下動自在に支持するために、複雑な構成を用いることなく握り棒、受像部等の可動部材を上下動自在に支持することができる。
【００１３】
そのために、たとえば手動により受像部を上下動するＸ線撮影装置において、握り棒を本考案のＸ線撮影装置の昇降装置によって上下動自在に支持した場合には、握り棒を外した場合でも、受像部を支持するカウンターウェイトを調整する必要が無くなる一方、コストを上げることなく、容易に握り棒を上下動自在に支持することができる。
【００１４】
また、握り棒のみならず受像部をも本考案のＸ線撮影装置の昇降装置によって上下動自在に支持した場合には、カウンターバランス機構を採用する必要も無くなるため、コストを大幅に抑えることが可能となる。
【００１５】
従って、本考案のＸ線撮影装置の昇降装置を用いることで、複雑な構成を採用することなく、コストを抑えながら、手動によって握り棒、受像部等の部品を昇降可能に支持することができる。
【図面の簡単な説明】
【００１６】
【図１】本考案のＸ線撮影装置の昇降装置の実施例を取り付けたＸ線撮影装置の正面側斜視図である。
【図２】本考案のＸ線撮影装置の昇降装置の実施例を取り付けたＸ線撮影装置の背面側斜視図である。
【図３】本考案のＸ線撮影装置の昇降装置の実施例の構成を説明するための図である。
【図４】本考案のＸ線撮影装置の昇降装置の実施例における係止機構を説明するための図である。
【図５】本考案のＸ線撮影装置の昇降装置の実施例における落下防止金具を説明するための図である。
【図６】本考案のＸ線撮影装置の昇降装置の実施例を取り付けたＸ線撮影装置におけるカウンターバランスを説明するための図である。
【図７】本考案のＸ線撮影装置の昇降装置の実施例を取り付けたＸ線撮影装置におけるカウンターバランスを説明するための図である。
【図８】従来のＸ線撮影装置を説明するための図である。
【考案を実施するための形態】
【００１７】
本考案のＸ線撮影装置の昇降装置では、バネ部材を備えており、このバネ部材は、巻き取り及び繰り出し自在にして軸部材に取り付けられており、更に、巻き取り方向へ付勢されている。
【００１８】
そして、このバネ部材の先端にはスライダーが取り付けられており、これにより、スライダーは、バネ部材の巻き取りあるいは繰り出しに従って、バネ部材の巻き取り及び繰り出し方向に移動自在とされている。
【００１９】
また、スライダーには支持部材が連結されており、この支持部材は、使用に際して、受像部、握り棒等の可動部材が支持されることとし、これにより、スライダーの移動に従って、支持部材に支持された可動部材がスライダーの移動方向と同方向へ移動することとしている。
【００２０】
更に、本考案のＸ線撮影装置の昇降装置では、スライダーの位置を所望位置で固定するための係止機構を具備しており、この係止機構によって、スライダーは、バネ部材の巻き取り方向、又は繰り出し方向へ移動自在にして、所望位置で固定されている。
【００２１】
ここで、係止機構を、スライダーに回動自在に取り付けられた、係止爪部を有する係止用ラッチと、長尺状であるとともに、係止用ラッチの係止爪部が係止する係止溝が長手方向に多数個形成されたラックとで構成し、係止用ラッチは、係止爪部が係止溝に係止する方向に付勢されるとともに、反付勢方向に回動することで係止溝に対する係止爪部の係止が解除され、  係止爪部が係止溝に係止している状態においては、スライダーは、バネ部材が巻き取られる方向への移動は許容され、バネ部材が繰り出される方向への移動は阻止されるようにするとよく、これにより、複雑な構成を採用することなく、スライダーの位置を、バネ部材の巻き取り方向、又は繰り出し方向へ移動自在にして所望位置で固定することが可能である。
【００２２】
そしてこのとき、係止溝を、ラックの側面からラックの長手方向に直交する方向へ形成されたラック側水平部と、この水平部の最奥部から斜め方向に向けて形成されたラック側テーパー部により形成し、一方、係止爪部は、ラック側水平部に当接する爪側水平部と、ラック側テーパー部当接する爪側テーパー部で構成するとよく、これにより、複雑な機構を用いることなく、係止爪部が係止溝に係止している状態においては、バネ部材が巻き取られる方向へのスライダーの移動は許容される一方、バネ部材が繰り出される方向へのスライダーの移動は阻止されることとしている。
【００２３】
また、スライダーは、落下防止金具を介してバネ部材の先端に連結し、バネ部材が何らかの理由で切断された場合に、落下防止金具によって、係止用ラッチが、係止溝に対する係止爪部の係止が解除方向へ回動することを阻止すると良く、これにより、可動部材が急激に落下して不測の事態を招くことを防止することが可能である。
【００２４】
そしてに、前記可動部材としては、受像部又は握り棒にするとよく、これにより、握り棒を外した場合にカウンターウェイトを調整する必要も無くなる。
【実施例１】
【００２５】
本考案のＸ線撮影装置の昇降装置（以下単に「昇降装置」と言う。）の実施例について図面を参照して説明すると、図１及び図２は、本実施例の昇降装置が取り付けられたＸ線撮影装置の外観を示す図であり、図１は正面側斜視図、図２は背面側斜視図であり、図において３１がＸ線撮影装置である。
【００２６】
そして、図において、本実施例の昇降装置が取り付けられるＸ線撮影装置３１は、手動により受像部を上下動するＸ線撮影装置としており、本実施例の昇降装置によって握り棒を上下動自在に支持した形態としている。
【００２７】
ここで、前記Ｘ線撮影装置３１について概略を説明すると、前記Ｘ線撮影装置３１は、支柱３２と、この支柱３２に上下方向に移動自在に支持された装置本体３４を有しており、前記支柱３２は、縦長の箱状の躯体の表面をカバーで覆って構成されており、正面側には上下方向に向けて２本のガイド３３が形成されている。
【００２８】
そして、前記装置本体３４は、受像部を有している。即ち、図において３５が受像部であり、本実施例において前記受像部３５は、側面に受光体挿入口３６を有し、この受光体挿入口３６を介して、Ｘ線により感光する撮影用フィルムを収容するカセッテや、撮像素子等の、受光体を挿抜自在に収容可能としている。また、受像部３５の背面の両側には、撮影に際して被写体となる患者等が安全のために握るグリップ３７が取り付けられている。
【００２９】
また、前記受像部３５の背面側には制御ボックス３８が取り付けられ、この制御ボックス３８内に、装置の作動を制御するための制御基板が収容されている（図６参照）。
【００３０】
次に、前記装置本体３４を上下動する機構について説明すると、図６は前記装置本体３４の概略を上面から示した図であり、また、図７は前記支柱３２の内部を側面側から示した断面図であり、図において前記装置本体３４は、リフト４０によって支持されている。即ち、本実施例において前記リフト４０は、前記制御ボックス３８の背面側に取り付けられる取付板４１と、前記支柱３２の内部に配置される可動板４２と、前記取付板４１と可動板４２とを連結する連結部４３とを具備して、前記連結部４３は、前記支柱３２の正面に上下方向に向けて形成した前述の２本のガイド３３を貫通している。
【００３１】
一方、前記支柱３２内は、隔壁４８によって内部を、正面側と裏面側に分けており、前記隔壁４８の上部には、支柱３２の左右側壁を連結する形態において回動軸４９が回動自在に取り付けられており、この回動軸９の両端部近傍にはそれぞれ、プーリー４４が取り付けられている。
【００３２】
そして、前記リフト４０は、前記隔壁４８の正面側において、連結金具４７を介して、前記プーリー４４に巻き回されたワイヤー４５の一端に支持されており、このワイヤー４５の他端には、隔壁４８の裏面側において、カウンターウェイト４６が支持されており、これにより、リフト４０を介してワイヤー４５の一端に連結した装置本体３４は、前記カウンターウェイト４６とバランスを取りながら、上下動自在に支持されている。即ち、前記装置本体３４は、カウンターバランス機構によって上下動自在に支持されており、手動により装置本体３４を上下動するＸ線撮影装置としている。
【００３３】
なお、カウンターバランス機構によって受像部を上下動自在に支持する機構は周知であるために、詳細な説明は省略する。また、図６において３９はハンドルである。即ち、前記装置本体３４には、装置本体３４を上下動させる際に装置本体２を支えるためのハンドル３９が備えられており、装置本体３４を上下動する際は、図示しないブレーキ解除スイッチを押しながら、ハンドル３９を持って、装置本体３４に上方側又は下方側へ押していく。
【００３４】
また、装置本体を上下動自在に支持する方法としては、必ずしもカウンターバランス機構を採用する必要は無く、装置本体を上下動自在に支持可能な方法であればいずれの方法を採用しても良い。従って、例えばスプリングバランサー等のバランサー装置を用いて、このバランサー装置にワイヤーの他端を連結して、ワイヤーを介して、バランサー装置と装置本体バネとのバランスを取りながら、装置本体を上下動自在に支持しても良い。そしてそのとき、バランサー装置の配置位置としては、例えば前述のカウンターウェイトの配置位置にバランサー装置を配置してもよく、その他、前記プーリーの位置にバランサー装置を配置して、プーリーを用いない構成にしても良く、あるいはその他、支柱の天井部分にバランサー装置を吊るし、このバランサー装置に前記ワイヤーの他端を連結し、これによりプーリーを用いない方式としても良い。
【００３５】
次に、本実施例の前記Ｘ線撮影装置に用いられた本実施例の昇降装置について説明すると、図１において１が本実施例の昇降装置であり、図３は本実施例の昇降装置１の構成を説明するための図である。そして、図１において２７が、本実施例の昇降装置１によって上下動自在に支持された握り棒であり、本実施例において前記握り棒２７は、基部２７０１とこの基部２７０１の両端部近傍に正面側に連設した握り部２７０２を具備している。
【００３６】
そして、本実施例の昇降装置１はバネ部材を有しており、このバネ部材の弾性力によって握り棒２７を、上下動自在に支持することとしている。即ち、図３において２がバネ部材であり、本実施例において前記バネ部材２は、細長い薄板状の金属製バネ部材としており、上下方向に巻き取り及び繰り出し自在にして前記Ｘ線撮影装置の背面側に固定されている。
【００３７】
ここで、前記バネ部材２の固定方法について説明すると、本実施例においては、取付プレート３を有しており、この取付プレート３を、Ｘ線撮影装置の背面に取り付けている。そして、前記取付プレート３の上方部分には、バネ部材巻き取り用のピン部材４を回動自在に固定しており、このピン部材４によって、前記バネ部材２を巻き取っており、この構成により前記バネ部材２は、巻き取り方向に付勢されながら、先端部は下方向に繰り出されている。
【００３８】
次に、図において５はスライダーである。即ち、本実施例において前記バネ部材２の先端側は、スライダー５が連結されている。そして、本実施例において前記スライダー５は、平板状の金属製としており、幅方向に見た一端側には、握り棒２７を支持するための支持部材が取り付けられている。
【００３９】
ここで、前記支持部材について説明すると、本実施例において前記取付プレート３には、幅方向の左右側に、長手方向に沿って側壁部３０１が立設されており、この側壁部の一方側には、図２に示されるように、長手方向に沿ってガイド溝３０２が形成されている。そして、前記スライダー５の一端側、図３における左端側は、前記ガイド溝３０２を貫通し、Ｘ線撮影装置の背面において、Ｘ線撮影装置の横側に延出している。そのため、前記スライダー５は、バネ部材２の巻き取りあるいは繰り出しに従って、前記ガイド溝３０２内を上下動することとしている。そして、スライダー５における、ガイド溝３０２を貫通してＸ線撮影装置の横側に延出した部分に、支持部材が連結されている。
【００４０】
即ち、前記支持部材は、アーム６を有しており、このアーム６は、スライダー５における、ガイド溝７を貫通してＸ線撮影装置の横側に延出した部分の先端側に、上方に向けて連結されている。
【００４１】
そして、このアーム６は、前記スライダー５の先端側に上方に向けて連結した所定長のアーム本体６０１と、アーム本体６０１の上端部分に形成したエルボー６０２と、このエルボー６０２を介して、Ｘ線撮影装置の正面側に向けて突設した先端部６０３を具備している。
【００４２】
また、前記アーム６の先端部６０３には、Ｘ線撮影装置の正面側に向けて、長尺状の取付部材１２を連設しており、この取付部材１２に、握り棒２７を取り付けている。即ち、本実施例において前記支持部材は、前記スライダー５の先端側に取り付けたアーム６と、このアーム６における先端部６０３に連設した取付部材１２を具備して構成されており、この構成によって、握り棒２７は、スライダー５の上下動に伴ってスライダー５と同方向へ上下動することとしている。
【００４３】
なお本実施例においては、前記取付部材１２の両端部にそれぞれ、係止板１３を上方に向けて突設して、この係止板１３にそれぞれ、握り棒２７を取り付けている。即ち、前述したように前記握り棒２７は、長尺の基部２７０１とこの基部２７０１の両端部近傍に正面側に向けて連結した握り部２７０２を有している。そして、前記基部２７０１を取付部材１２上に載置するとともに、基部２７０１の両端部分を前記係止板１３に回動自在に軸支しており、これにより、前記支持部材で握り棒２７を、回動自在に支持している。但し、握り棒２７の支持方法は限定されず、取付部材１２に取り付けてあればいずれの方法を採用してもよい。
【００４４】
次に、本実施例の昇降装置１では、前記スライダー５を所望位置で固定するための係止機構を有しており、この係止機構によって、操作者等が握り棒２７を任意の位置にするとともに、操作者等が選択した位置で握り棒２７を固定することを可能としている。
【００４５】
ここで、前記係止機構について詳細に説明すると、図４は係止機構部分を拡大した図であり、図において、本実施例における前記係止機構は、係止用ラッチと、この係止用ラッチが係止されるラックとを具備して構成されている。即ち、図において１４がラックであり、本実施例において前記ラック１４は、長板状としており、スライダー５の先端部分が貫通した側壁と対向する側壁６に、上下方向に向けて取り付けられている。また、ラック１４における、スライダー５の先端部分が貫通した側壁側の端部には、ラック１４の上下方向に沿って、多数個に亘って、係止溝１５が形成されている。
【００４６】
次に、前記係止用ラッチについて説明すると、図において１８が係止用ラッチであり、本実施例において前記係止用ラッチ１８は、前記ラック１４側に向けて突設した係止爪部１９を有しており、この係止爪部１９を前記係止溝１５に係止することで、前記スライダー５の位置を固定可能としている。
【００４７】
即ち、本実施例において前記係止用ラッチ１８は、上部においてピン等の軸支部材３０によって前記スライダー５に軸支され、この軸支部分を中心に回動自在としており、通常の状態では係止爪部１９が前記係止溝１５に係止しており、回動することで、係止溝１５に対する係止爪部１９の係止が解除されることとしている。
【００４８】
また、前記係止用ラッチ１８は下端部分に脚部２０を有しており、この脚部２０は、スライドプレート２４に固定されている。
【００４９】
一方、前記スライダー５にはスライドレール２５が取り付けられており、前記スライドプレート２４は、前記スライドレール２５に係合しており、係合に際しては、スライドレール２５に対して、Ｘ線撮影装置の幅方向に向けてスライド自在としている。
【００５０】
そして、前記スライドプレート２４がスライドレール２５に対してスライドすることで、前記係止用ラッチ１８は、前記スライダー５との軸支部分３０を中心に下方部分が回動し、それにより、前記係止爪部１９が前記係止溝１５に係止し、あるいは、係止が解除される。
【００５１】
また、前記係止用ラッチ１８及びスライドプレート２４はいずれも、係止爪部１９が係止溝１５に係止する方向に付勢されている。即ち、前記係止用ラッチ１８の脚部２０は、スプリング等の弾性部材２３によって、係止爪部１９が係止溝１５に係止する方向に付勢された状態で、スライドプレート２４に固定されており、一方、前記スライドプレート２４もまた、スプリング等の弾性部材２３によって、係止爪部１９が係止溝１５に係止する方向に付勢された状態で、スライドレール２５にスライド自在に係合している。従って、この構成により、通常の状態では係止爪部１９が係止溝１５に係止しており、スライドプレート２４がスライドレール２４上をスライドすることで、係止溝１５に対する係止爪部１９の係止が解除されることとしている。
【００５２】
次に、前記係止溝１５と係止爪部１９との関係について説明すると、本実施例において、前記係止溝１５は、前記ラック１４の側面からラック１４の長手方向に直交する方向へ形成されたラック側水平部１６と、このラック側水平部１６の最奥部から斜め上方に向けて形成されたラック側テーパー部１７により形成されている。
【００５３】
一方、前記係止爪部１９は、前記ラック側水平部１６に当接するラッチ側水平部２１と、前記ラック側テーパー部１７当接するラッチ側テーパー部２２を具備しており、それにより、係止爪部１９が係止溝１５に係止している状態においては、スライダー５の上方への移動が許容され、下方への移動が阻止されることとしている。即ち、スライダー５に対して上昇する方向への圧力が加えられ、それにより、係止爪部１９のラッチ側テーパー部２２が係止溝１５のラック側テーパー部１７を押圧すると、いわゆるくさびの原理によって、係止用ラッチ１８とラック１４の双方に横方向の圧力が加えられるが、ラック１４における係止溝１５の位置が固定されているのに対して、係止用ラッチ１８は、前記スライダー５との軸支部分を中心に下方部分が回動自在であるため、係止用ラッチ１８の下方部分が反係止溝１５の方向に回動し、それによって係止溝１５に対する係止爪部１９の係止が解除され、それにより、スライダー５を上昇させることができる。
【００５４】
一方、スライダー５に対して下降する方向への圧力が加えられた場合には、係止爪部１９のラッチ側水平部２１が係止溝１５のラック側水平部１６を押圧するが、水平部に対する水平部の圧力であるために、くさびの原理は働かず、従って、係止用ラッチ１８は下降することができず、即ち、係止溝１５に対する係止爪部１９の係止は解除されず、それにより、スライダー５の下方への移動は阻止される。従って、前述したように、係止爪部１９が係止溝１５に係止している状態においては、スライダー５の上方への移動が許容され、下方への移動が阻止されることになる。
【００５５】
従って本実施例の昇降装置１では、握り棒２７を上昇させる場合は握り棒２７を上方に押すのみでよく、一方、係止溝１５に対する係止爪部１９の係止を解除しない限り、握り棒２７を下降させることはできないために、撮影中等に握り棒２７が意に反して下降して被験者に当たってしまうことを未然に防止することが可能である。
【００５６】
次に、図において２６は作動用ワイヤーである。即ち、本実施例の昇降装置１では、前記スライドプレート２４に作動用のワイヤー２６が取り付けられ、この作動用ワイヤー２６は、前記アーム８の近傍まで延長されるとともに、前記アーム８に取り付けた持ち手２６０１（図１、図２参照）に連結されており、持ち手２６０１を介して作動用ワイヤー２６を引っ張ることで、スライドプレート２４をスライドレール２５に対してスライドさせ、それにより、係止用ラッチ１８を、前記スライダー５との軸支部分を中心に下方部分を回動させ、前記係止溝１５に対する係止爪部１９の係止を解除させて、握り棒２７を下降させることを可能としている。
【００５７】
なお、本考案において係止機構は、スライダー５を、バネ部材２の巻き取り方向又は繰り出し方向へ移動自在にした状態で、所望位置で固定することができる構成であればよく、必ずしも前述の構成に限定されるものではない。
【００５８】
次に、図３において７は、落下防止金具である。即ち、本実施例の昇降装置では、落下防止金具７を介して、バネ部材２の先端側にスライダー５を連結しており、これにより、バネ部材２が途中で切れた状況で前記作動用ワイヤー２６が引かれた場合でも、スライダー５が落下してしまうことを防止可能としている。
【００５９】
即ち、前記バネ部材２の先端側にスライダー５を直接連結している場合においては、バネ部材２が途中で切れてしまった場合には、スライダー５は、係止用ラッチ１８の係止爪部１９とラック１４の係止溝１５の係止のみで支えられることになる。そのため、この状態で、作動用ワイヤー２６が引っ張られてスライドプレート２４がスライドレール２５に対してスライドし、係止用ラッチ１８がスライダー５との軸支部分を中心に下方部分が回動して係止溝１５に対する係止爪部１９の係止を解除されると、スライダー５が下方に落下してしまい、それとともに、支持部材を介してスライダー５の先端側に取り付けている握り棒２７が下方に落下してしまい、不測の事故等を招いてしまうおそれも考えられる。そこで、本実施例の昇降装置１では、落下防止金具７を介してバネ部材２の先端側にスライダー５を連結することとしている。
【００６０】
この関係について図４及び図５を参照して説明すると、本実施例においては、前記バネ部材２の先端側に連結金具７０１を取り付けており、この連結金具７０１に落下防止金具７を取り付けている。
【００６１】
一方、前記スライダー５には支持金具８を取り付けており、この支持金具８に前記落下防止金具７を係止している。即ち、前記落下防止金具７の左右側には、上下方向に向けて、長孔状のガイド溝７０３が形成されており、前記支持金具８には、前記ガイド溝を７０３を貫通するピン部材８０２が突設されている。そして、前記落下防止金具７は、前記ピン部材８０２が前記ガイド溝７０３を貫通する形態で前記支持金具８に重ね合わされており、これにより、前記スライダー５は前記バネ部材２の先端側に連結されている。
【００６２】
また、本実施例の昇降装置１では、一端が前記スライダー５に固定され、他端は前記落下防止金具７に固定され、これにより前記落下防止金具７を下方に付勢するスプリング９を有している。
【００６３】
更に、前記落下防止金具７は、下方に向けて嵌合用脚部７０２を有しており、この嵌合用脚部７０２は、下方に落下することで、前記スライドプレート２４に形成した嵌合凹部２４０１に嵌合可能としている。そして、嵌合凹部２４０１に嵌合用脚部７０２が嵌合すると、スライドプレート２４は、係止溝１５に対する係止爪部１９の係止を解除される方向へスライドすることが阻止される。
【００６４】
即ち、ラック１４の係止溝１５に係止用ラッチ１８の係止爪部１９が係止している状況では、落下防止金具７はバネ部材２により上方に付勢されており、支持金具８のピン部材８０２は落下防止金具７のガイド溝７０３内において最下部に位置しており、これにより、支持金具８は落下防止金具７に係止されている状態になる。従って、これにより、スライダー５は、支持金具８と落下防止金具７、及び連結金具７０１を介してバネ部材２に連結されている。またこの状況においては、落下防止金具７の嵌合用脚部７０２はスライドプレート２４の嵌合凹部２４０１には嵌合しておらず、また、落下防止金具７はスプリング９によって下方に付勢されている。
【００６５】
次に、この状態で、バネ部材２が途中で切断した場合を考えると、バネ部材２が途中で切れると、落下防止金具７は、バネ部材２による上方への付勢が無くなる一方、スプリング９により下方に付勢されているために下方に落下し、それとともに、支持金具８のピン部材８０２は落下防止金具７のガイド溝７０３内を上方へ移動してガイド溝７０３内の最上部に位置して、落下防止金具７の嵌合用脚部７０２は、落下防止金具７の落下とともに下方に移動して、スライドプレート２４０１の嵌合凹部２４０１内に嵌合する。
【００６６】
そうすると、嵌合用脚部７０２が嵌合凹部２４０１に嵌合すると、スライドプレート２４は、係止溝１５に対する係止爪部１９の係止を解除される方向へスライドすることが阻止されているために、この状態においては、作動用ワイヤー２６を引っ張ることができず、従って、係止溝１５に対する係止爪部１９の係止を解除することができず、握り棒２７が下方に落下してしまい、不測の事故等を招いてしまうことを確実に防止することができる。
【００６７】
従って、本実施例の昇降装置１では、バネ部材２が切れてしまった場合でも、握り棒等の可動部材が操作者の意に反して落下してしまうことを未然に防止することが可能である。
【００６８】
なお、図において８０１は前記落下防止金具７の左右側の端部をガイドするガイドカバーであり、これにより、落下防止金具７の上下方向への移動を確実に確保している。
【００６９】
なお、本考案において、前記落下防止金具は必ずしも必要なものではなく、これを備えない構成にしてもよい。
【００７０】
次に、このように、構成される本実施例の昇降装置１の作用について説明すると、本実施例の昇降装置１を取り付けたＸ線撮影装置３１において握り棒２７を上昇させる場合には、握り棒２７を握って上方への圧力を加えるのみで良い。そうすると、前述の原理によって、係止用ラッチ１８の係止爪部１９とラック１４の係止溝１５との係止が解除され、スライダー５を上昇させるとともに、握り棒２７を上昇させることが可能である。そしてこのとき、スライダー５はバネ部材２の先端に連結されているとともに、バネ部材２は巻き取り方向に付勢されているため、少しの力で握り棒２７を上昇させることが可能である。
【００７１】
一方、握り棒を下降させる場合には、持ち手２６０１を介して作動用ワイヤー２６を引っ張り、それによってスライドレール２５に対してスライドプレート２４をスライドさせ、係止用ラッチ１８を、前記スライダー５との軸支部分を中心に下方部分を回動させることで、係止溝１５に対する係止爪部１９の係止を解除させ、その状態で、握り棒２７に対して下方側への圧力を加える。そうすると、握り棒２７を下降させることができ、所望位置まで下降させた後に作動用ワイヤー２５を元に戻すことで、係止溝１５に対して係止爪部１９を係止させ、握り棒の位置を固定することができる。またこのとき、前述したように、スライダー５が連結されているバネ部材２は巻き取り方向に付勢されており、握り棒２７を下降させるときは、上昇させる場合と比較して力を必要とするため、握り棒２７が意に反して急激に下降して被験者等に当たってしまうことを防止することができる。
【００７２】
更に、本実施例の昇降装置１では、落下防止金具７を介してバネ部材２にスライダー５を連結して、バネ部材２が途中で切れた場合には、落下防止金具７が落下して、係止溝１５に対する係止爪部１９の係止が解除する方向へスライドプレート２４がスライドすることを阻止しているために、バネ部材２が切れた場合でも、握り棒２７が意に反して急激に下降して事故等が起こることを確実に防止することができる。
【００７３】
このように、本実施例の昇降装置では、バネ部材によって握り棒等を上下動自在に支持するために、複雑な構成を用いることなく握り棒を上下動自在に支持することができる。そのために、たとえば手動により受像部を上下動するＸ線撮影装置に本実施例の昇降装置によって握り棒を上下動自在に支持した場合には、握り棒を外した場合でも、受像部を支持するカウンターウェイトを調整する必要が無くなる一方、コストを上げることなく、容易に握り棒を上下動自在に支持することができる。
【００７４】
また、本実施例の昇降装置では、係止用ラッチと、この係止用ラッチが係止されるラックとで構成される係止機構を採用し、係止用ラッチの係止爪部がラックの係止溝に係止している状態においては、握り棒等の上方への移動は許容し、下方への移動は阻止することとしており、更に、支持部材及びスライダーを介して握り棒を支持するためのバネ部材が巻き取り方向に付勢されて握り棒の下降に対しては制動を加えているため、握り棒が意に反して下降して被験者に当たってしまうことを未然に防止することが可能である。
【００７５】
更に、本実施例の昇降装置１では、落下防止金具７によって、バネ部材２が途中で切れた場合でも、握り棒２７が意に反して急激に下降して事故等が起こることを確実に防止することができる。
【００７６】
なお、前述の説明では、握り棒を上下動自在に支持する場合を説明したが、本考案の昇降装置が上下動自在に支持する対象は、握り棒に限定されるものではなく、Ｘ線撮影装置において、上下動自在に支持する可動部材の全般が支持の対象である。従って、例えば、受像部や受像部を含む装置本体を、本考案の昇降装置で上下動自在に支持してもよい。
【産業上の利用可能性】
【００７７】
本考案は、Ｘ線撮影装置において、複雑な構成を採用せず、コストを抑えながら、手動によって握り棒、受像部等の可動部品を昇降可能としているために、上下動自在の可動部品を支持するための昇降装置の全般に適用可能である。
【符号の説明】
【００７８】
１    昇降装置
２    バネ部材
３    取付プレート
３０１    側壁部
３０２    ガイド溝
４    ピン部材
５    スライダー
６    アーム
６０１    アーム本体
６０２    エルボー
６０３    先端部
７    落下防止金具
７０１    連結金具
７０２    嵌合用脚部
７０３    ガイド溝
８    支持金具
８０１    ガイドカバー
８０２    ピン部材
９    スプリング
１２    取付部材
１３    係止板
１４    ラック
１５    係止溝
１６    ラック側水平部
１７    ラック側テーパー部
１８    係止用ラッチ
１９    係止爪部
２０    脚部
２１    ラッチ側水平部
２２    ラッチ側テーパー部
２３    スプリング
２４    スライドプレート
２４０１    嵌合凹部
２５    スライドレール
２６    作動用ワイヤー
２６０１    持ち手
２７    握り棒
２７０１    基部
２７０２    握り部
３０    軸支部材
３１    Ｘ線撮影装置
３２    支柱
３３    ガイド
３４    装置本体
３５    受像部
３６    受光体挿入口
３７    グリップ
３８    制御ボックス
３９    ハンドル
４０    リフト
４１    取付板
４２    可動板
４３    連結部
４４    プーリー
４５    ワイヤー
４６    カウンターウェイト
４７    連結金具
４８    隔壁
４９    回転軸
【図１】
0003195172.tif 000003
【図２】
0003195172.tif 000004
【図３】
0003195172.tif 000005
【図４】
0003195172.tif 000006
【図５】
0003195172.tif 000007
【図６】
0003195172.tif 000008
【図７】
0003195172.tif 000009
【図８】
0003195172.tif 000010